(57)【要約】【課題】番記憶媒体一体ドライブと分離可能ドライブの起動時の処理を変えることで、起動時間を一定時間内に抑えることのできる録画再生装置およびその方法を提供する。【解決手段】この発明の録画再生装置（１）は、コンテンツを記録する記録媒体が一体に設けられた媒体一体記録装置（３０１，５０１，・・・，ｎ）と記録媒体が分離可能な記録装置（２０１）とが少なくとも３以上用意され、任意の記録装置にコンテンツを記録する録画再生装置において、電源がオンされた際に優先して起動すべき記録装置を、電源がオフされた際に動作中であった記録装置と、優先起動を設定可能な記録装置に用意された優先起動許可情報と、に基づいて決定することを特徴とする。【選択図】図１
2011035840.tif 000002
【特許請求の範囲】
【請求項１】
コンテンツを記録する記録媒体が一体に設けられた媒体一体記録装置と記録媒体が分離可能な記録装置とが少なくとも３以上用意され、任意の記録装置にコンテンツを記録する録画再生装置において、
電源がオンされた際に優先して起動すべき記録装置を、電源がオフされた際に動作中であった記録装置と、優先起動を設定可能な記録装置に用意された優先起動許可情報と、に基づいて決定することを特徴とする録画再生装置。
【請求項２】
電源がオフされた際に動作中であった記録装置が前記優先起動を設定可能な記録装置とは異なる場合、次の電源オン時には、前記優先起動を設定可能な記録装置のうちの分離可能な記録装置とは異なる記録装置を優先して起動することを特徴とする請求項１記載の録画再生装置。
【請求項３】
電源がオフされた際に動作中であった記録装置が前記優先起動を設定可能な記録装置である場合、次の電源オン時には、前記動作中であった記録装置を優先して起動することを特徴とする請求項１記載の録画再生装置。
【請求項４】
前記優先起動を設定可能な記録装置は、ユーザにより設定可能であることを特徴とする請求項１〜３のいずれかに記載の録画再生装置。
【請求項５】
電源がオフされた際に動作中であった記録装置が前記優先起動を設定可能で分離可能な記録装置であって、次の電源オンまでの間に取り外された後、再び装着された場合は、前記優先起動を設定可能な記録装置のうちの前記分離可能な記録装置とは異なる記録装置を優先して起動することを特徴とする請求項２記載の録画再生装置。
【請求項６】
前記優先起動を設定可能な記録装置のうち、録画予約で設定されている件数が最も多い記録装置に優先起動許可情報を設定することを特徴とする請求項１記載の録画再生装置。
【請求項７】
前記優先起動を設定可能な記録装置のうち、既に記録されているコンテンツの数が最も多い記録装置に優先起動許可情報を設定することを特徴とする請求項１記載の録画再生装置。
【請求項８】
前記優先起動を設定可能な記録装置のうち、既に記録されているコンテンツの総時間が最も多い記録装置に優先起動許可情報を設定することを特徴とする請求項１記載の録画再生装置。
【請求項９】
コンテンツを記録する記録媒体が一体に設けられた媒体一体記録装置と記録媒体が分離可能な記録装置とが少なくとも３以上用意され、任意の記録装置にコンテンツを記録する録画再生装置において、
電源がオンされた際に優先して起動すべき記録装置を、電源がオフされた際に動作中であった記録装置と、優先起動を設定可能な記録装置に用意された優先起動許可情報と、に基づいて決定してコンテンツを記録することを特徴とする録画再生方法。
【請求項１０】
記録媒体が一体に設けられ、本体に内蔵された内蔵式の記録装置と、
記録媒体を任意に交換可能で、本体に内蔵された内蔵式の媒体交換可能記録装置と、
記録媒体が一体に設けられ、本体から取り外すことが可能な記録装置と、
前記内蔵式の記録装置または前記取り外すことが可能な記録装置のいずれかを優先して起動するための起動時設定情報を保持する設定情報管理装置と、
前記設定情報管理装置が保持する起動時設定情報と、本体の電源がオフされた際に動作中であった記録装置と、に基づいて、本体の電源がオンされた際に優先して起動すべき記録装置を設定する記録装置管理装置と、
を有することを特徴とする録画再生装置。
【請求項１１】
前記記録装置管理装置は、電源がオフされた際に動作中であった記録装置が前記内蔵式の媒体交換可能記録装置である場合に、次に電源がオンされた際に、前記内蔵式の記録装置を優先して起動することを特徴とする請求項１０記載の録画再生装置。
【発明の詳細な説明】
【技術分野】
【０００１】
この発明は、録画再生装置における電源投入時の起動動作に関する。
【背景技術】
【０００２】
ハードディスクドライブ（ＨＤＤ）を内蔵し、長時間に亘って、あるいは複数のソースが提供する多くのコンテンツを並列に、録画可能な録画再生装置が広く普及している。
【０００３】
また、２以上のＨＤＤを接続可能として、実記録容量を高めた録画再生装置も既に実用化されている。
【０００４】
なお、録画再生装置においては、ＨＤＤに加え、例えばＤＶＤ規格の光ディスクのうちの書き換え可能タイプの光ディスクに対してもコンテンツを録画できることが可能であるが、記録容量が限られることは周知である。
【０００５】
特許文献１（先行技術文献）は、ＨＤドライブ部、ＢＤドライブ部及びＤＶＤドライブ部の複数のドライブ部（データ処理部）を備え、始動する際に複数のドライブ部のうち、光ディスク等の記録媒体を受け入れているドライブ部を起動することを開示する。また、同文献は、他の方法として、使用者が指定したドライブ部を起動するか、あるいは最後に動作したドライブ部のみ起動する、ＨＤドライブ部を優先的に起動する等、録画装置の始動時に起動するドライブ部を選択することにより、起動時間の短縮、録画装置の消費電力を削減することを開示する。
【先行技術文献】
【特許文献】
【０００６】
【特許文献１】特開２００６−１６４３３４
【発明の概要】
【発明が解決しようとする課題】
【０００７】
特許文献１が開示するデータ処理装置は、ＢＤドライブ部及びＤＶＤドライブ部のようなドライブ部と記憶媒体が分離できるドライブについても、始動時の優先起動対象にしているため、記憶媒体の有無を判定するプロセスが増える。従って、起動時間の短縮が困難である。
【０００８】
この発明の目的は、記憶媒体一体ドライブと分離可能ドライブの起動時の処理を変えることで、起動時間を一定時間内に抑えることのできる録画再生装置およびその方法を提供することである。
【課題を解決するための手段】
【０００９】
この発明は、上記問題点に基づきなされたもので、コンテンツを記録する記録媒体が一体に設けられた媒体一体記録装置と記録媒体が分離可能な記録装置とが少なくとも３以上用意され、任意の記録装置にコンテンツを記録する録画再生装置において、電源がオンされた際に優先して起動すべき記録装置を、電源がオフされた際に動作中であった記録装置と、優先起動を設定可能な記録装置に用意された優先起動許可情報と、に基づいて決定することを特徴とする録画再生装置を提供するものである。
【発明の効果】
【００１０】
この発明の一つの実施の形態によれば、記憶媒体一体ドライブと分離可能ドライブとが３以上用意された録画再生装置の始動時に必要となる起動時間を低減できる。
【００１１】
また発明の一つの実施の形態によれば、記憶媒体を取り出すことのできるドライブについては、電源オフまでの間、動作されていた場合であっても、始動時の優先起動対象から除外できるため、起動時間を一定時間内に抑えることができる。
【００１２】
さらに発明の一つの実施の形態によれば、起動時に媒体内の情報を読み出すことを必要としない、優先起動ドライブを任意に設定でき、ユーザの利便性が高められる。
【００１３】
すなわち、記憶媒体一体ドライブであるハードディスクドライブ（ＨＤＤ）が複数接続された録画再生装置において、起動時カレントドライブとして２台目以降のＨＤＤも１台目のＨＤＤと同様の使い勝手を得ることができ、ユーザの利便性を損なうことがない。
【図面の簡単な説明】
【００１４】
【図１】この発明の実施の形態が適用可能な録画再生装置の構成の一例を示す概略図。
【図２】図１に示した録画再生装置において、起動時に、優先して起動するディスクドライブ（「起動時カレントドライブ」）として設定可能なディスクドライブの『カレントドライブ情報』を保持したデータテーブルの一例を示す概略図。
【図３】図１に示した録画再生装置において、図２に示した「起動時カレントドライブ」を、ユーザが変更するためのユーザ入力画面表示（［始動時起動ドライブ設定画面］）の表示例の一例を示す概略図。
【図４】図１に示した録画再生装置において、「カレントドライブ」を、出力画像信号に基づく出力映像に表示する表示例の一例を示す概略図。
【図５】図１に示した録画再生装置において、「カレントドライブ」を、出力画像信号に基づく出力映像に表示する表示例の別の一例を示す概略図。
【図６】図１に示した録画再生装置の起動時に、「起動時カレントドライブ」として設定されているディスクドライブを優先して起動する「電源オン処理」の一例をソフトウエア的に示す概略図（フローチャート）。
【図７】図６に示した録画再生装置の起動時に参照する『カレントドライブ情報』を更新（保存）する「電源オフ処理」の一例をソフトウエア的に示す概略図（フローチャート）。
【図８】図６により説明した録画再生装置の起動時の「電源オン処理」において、「起動時カレントドライブ」とすべきディスクドライブを、所定の条件に従って特定して、次に電源がオンされた際に、「起動時カレントドライブ」を設定する処理の一例をソフトウエア的に示す概略図（フローチャート）。
【図９】図８に示した電源オン処理（始動時）に参照される「次に始動される際に「起動時カレントドライブ」に設定されるべきディスクドライブ」を、電源オフ処理において設定（保存）する処理の一例をソフトウエア的に示す概略図（フローチャート）。
【図１０】図９に示した電源オフ処理において設定（保存）された『カレントドライブ情報』により「起動時カレントドライブ」を設定する処理の一例をソフトウエア的に示す概略図（フローチャート）。
【図１１】図６に示した録画再生装置の起動時に優先して起動する「カレントドライブ」を設定する「電源オン処理」の一例をソフトウエア的に示す概略図（フローチャート）。
【図１２】図１１において参照する『録画予約一覧情報（録画予約一覧データ）』の保存時の保存形式の一例を模式的に示す概略図。
【図１３Ａ】図１１において参照する『録画予約一覧情報』をモニタ装置に表示した表示例（ビデオミキシングモジュールが出力する出力画像に相当する画像出力）を示す概略図。
【図１３Ｂ】図１１において参照する『録画予約一覧情報』をモニタ装置に表示した表示例（ビデオミキシングモジュールが出力する出力画像に相当する画像出力）を示す概略図。
【図１４】図１１により説明した録画再生装置の起動時の「電源オン処理」において、「起動時カレントドライブ」とすべきディスクドライブを、所定の条件に従って特定する際の別の条件の一例を示す概略図。
【図１５】図１４に示した条件をユーザが確認可能に、モニタ装置に表示した表示例（ビデオミキシングモジュールが出力する出力画像に相当する画像出力）を示す概略図。
【図１６】図６により説明した録画再生装置の起動時の「電源オン処理」において、「起動時カレントドライブ」とすべきディスクドライブを、所定の条件に従って特定するためのさらに別の一例をソフトウエア的に示す概略図（フローチャート）。
【図１７Ａ】図１６において参照する『タイトル一覧情報』の保存時の保存形式の一例を模式的に示す概略図。
【図１７Ｂ】図１７Ａに示した条件をユーザが確認可能に、モニタ装置に表示した表示例（ビデオミキシングモジュールが出力する出力画像に相当する画像出力）を示す概略図。
【図１８Ａ】図１６において参照する『タイトル一覧情報』の保存時の保存形式の一例を模式的に示す概略図。
【図１８Ｂ】図１８Ａに示した条件をユーザが確認可能に、モニタ装置に表示した表示例（ビデオミキシングモジュールが出力する出力画像に相当する画像出力）を示す概略図。
【図１９】図２に示したテーブルデータ（定義表）のうち、ＨＤＤ１（内蔵）とは異なる外部ＨＤＤ（ＨＤＤ２）が一旦取り外された場合に、「起動時カレントドライブ」を設定可能とする例を示す概略図。
【図２０】図２に示したテーブルデータ（定義表）のうち、ＨＤＤ１（内蔵）とは異なる任意数の外部ＨＤＤ（ＨＤＤ２〜ＨＤＤｎ，ｎは２以上の正の整数）が接続されている場合に、「起動時カレントドライブ」を設定可能とする例を示す概略図。
【発明を実施するための最良の形態】
【００１５】
以下、図面を参照して、本発明の実施の一形態について説明する。
【００１６】
図１は、この発明が適用される録画再生装置の実施の一形態を示す。なお、図１の録画再生装置においては、記録媒体として、ハードディスクドライブモジュール（以下、単にＨＤＤモジュールと示す）に内装されたハードディスク、またはＤＶＤ規格の光ディスクに映像を記録する例を説明するが、ハードディスクまたは光ディスク等に代えて、例えば半導体メモリ（メモリカード）を記録媒体とすることも可能である。また、録画再生装置には、例えばパーソナルコンピュータ（ＰＣ）等も該当し、記録メディア（記録媒体）に記録される情報としては、静止画やドキュメント情報等であってもよいことはいうまでもない。さらに、ＨＤＤモジュールは、２以上用意され、少なくとも１つが、録画再生装置と分離（着脱）可能であり、広義には、ＰＣに内蔵されたＨＤＤやネットワーク上に位置するＬＡＮ接続型であってもよい。
【００１７】
図１に示す録画再生装置（ビデオレコーダ）１は、例えばＤＶＤ規格の光ディスクＭにビデオファイルを構築できるディスクドライブモジュール２０１を有する。光ディスクＭは、例えばＣＤ規格であってもよく、あるいは現行のＤＶＤ規格の光ディスクに比較して記録容量が高められているさまざまなタイプであってもよい。
【００１８】
ディスクドライブモジュール２０１は、詳述しないが、光ディスクＭを、その記録面が延びる面内において所定速度で回転させる回転制御系、光ディスクＭの記録面に情報を記録し、あるいは光ディスクＭに記録されている情報を再生するための所定波長のレーザ光を照射するレーザ駆動系およびそのレーザ光を案内するレーザ光学系等を有する。
【００１９】
録画再生装置１はまた、ＨＤＤモジュール３０１に収容されているハードディスクＨＤに対しても、同様にビデオファイルを構築できる。また、録画再生装置１は、ドライブ制御部４０１を介して接続される少なくとも１つの着脱可能な外部ＨＤＤ装置５０１に対してもビデオファイルを構築できる。なお、外部ＨＤＤ装置５０１は、インタフェースとして、例えばＵＳＢ（Universal Serial Bus）による接続が可能な形式（ＵＳＢ−ＨＤＤ）であることが好ましい。
【００２０】
また、外部ＨＤＤ装置５０１は、ＨＤＤモジュール３０１とは独立であり、必要に応じて（録画再生装置１から）分離する（取り外す）ことができる。なお、ドライブ制御部４０１は、２以上の外部ＨＤＤ装置、例えば「６０１」、あるいは「ｎ（ｎ台め）」が接続可能であり、現在接続されている外部ＨＤＤ装置の数と過去に接続されたことがある外部ＨＤＤ装置であるか否か（接続された外部ＨＤＤ装置が初めて接続されたか否か）を管理し、データプロセッサ１０１及びマイクロコンピュータモジュール３０に報知する。
【００２１】
ディスクドライブモジュール２０１に装填された光ディスクＭまたはＨＤＤモジュール３０１あるいは任意の外部ＨＤＤ装置５０１（６０１，・・・，ｎ）のハードディスクＨＤに記録すべき映像（記録データ）は、データプロセッサモジュール１０１による処理及び制御により、予め指定された記録媒体（光ディスクＭあるいはハードディスクＨＤ）に記録される。また、データプロセッサモジュール１０１の処理により、既に記録されている映像（データ）をディスクドライブモジュール２０１の光ディスクＭまたはＨＤＤモジュール３０１あるいは任意の外部ＨＤＤ装置５０１（６０１，・・・，ｎ）のハードディスクＨＤから読み出す。すなわち、記録されている映像データに対応する再生データが得られる（データが再生される）。
【００２２】
データプロセッサモジュール１０１は、記録データあるいは再生データを、所定の単位で処理するもので、詳述しないがバッファ回路モジュール、変調・復調回路モジュール、エラー訂正モジュール等を含む。
【００２３】
録画再生装置１はまた、録画再生装置１の動作を制御するマイクロコンピュータモジュール３０、入力情報を記録するためのデータ処理を受け持つエンコーダモジュール５０、および既に記録されているデータを再生するデータ処理を受け持つデコーダモジュール６０を、少なくとも有する。
【００２４】
マイクロコンピュータモジュール３０は、主制御ユニットとして機能するＭＰＵ（Main Processing UnitまたはＣＰＵ（Central Processing Unit））を含み、図示しないＲＯＭ（Read Only Memory）に格納されている制御プログラムに基づいて、欠陥場所検出、未記録領域検出、録画情報記録位置設定、ＵＤＦ記録、及びＡ／Ｖアドレス設定等を実行する。
【００２５】
また、マイクロコンピュータモジュール３０は、録画再生装置１の以下に説明する個々のモジュールを統括して制御するために必要な図示しない情報処理モジュール（メインプロセッサ）、ワークエリアとして利用されるＲＡＭ（Random Access Memory）３１、ディレクトリ検出部３２、ＶＭＧ（ビデオ管理情報）作成部、コピー関連情報検知部、コピー及びスクランブリング情報処理部（ＲＤＩ処理部）、パケットヘッダ処理部、シーケンスヘッダ処理部、アスペクト比情報処理部等を含む。
【００２６】
マイクロコンピュータモジュール３０はまた、編集を実行する際の管理情報を処理する編集時管理情報制御モジュール３３、及び録画を実行する際の管理情報を処理する録画時管理情報制御モジュール３４を含む。
【００２７】
さらに、マイクロコンピュータモジュール３０は、後段で詳しく説明するが、予約録画を制御する予約録画制御モジュール３５、ＧＵＩ（Graphical User Interface，グラフィカルユーザインタフェース）画面の表示を制御するＧＵＩ画面表示モジュール３６、ユーザによる操作入力の有無を検知する操作入力判別モジュール３７、ユーザに通知すべき内容を文字列や小映像（ｉｃｏｎ，アイコン）等の可視可能な表示として録画再生装置１の外部装置として接続されるモニタ装置（ディスプレイ）１００１に、ＯＳＤ（オンスクリーンディスプレイ）表示するためのＯＳＤ表示制御モジュール３８を含む。なお、ＯＳＤ表示制御モジュール３８は、モニタ装置（ディスプレイ）１００１に対して出力映像を出力する後述のＤ／Ａコンバータ７４に入力される信号（映像出力信号）にＯＳＤ信号を重ね合わせることのできる任意の位置、例えばビデオ（Ｖ）ミキシングモジュール７１とマイクロコンピュータモジュール３０との間、に用意されてもよい。
【００２８】
また、マイクロコンピュータモジュール３０は、不揮発性メモリ（ＮＶＭ）３９を含み、録画再生装置１の主電源がオフされる際に、必要に応じて所定のデータ、例えば、起動時選択ドライブ名、等を保持する。なお、ＮＶＭ（不揮発性メモリ）３９は、マイクロコンピュータモジュール３０と独立して設けられてもよいことはいうまでもない。
【００２９】
マイクロコンピュータモジュール３０はさらに、ネットワークインタフェース２１を介して詳述しない外部ネットワークに接続可能である。これにより、地上デジタル放送やＢＳ／ＣＳデジタル放送において番組とともに提供されるＥＰＧ（電子番組表）に加え、外部のサーバから電子番組案内情報（ＤＥＰＧ：Dynamic Electronic Program Guide）を、取り込むことができる。
【００３０】
マイクロコンピュータモジュール３０はまた、例えばリモコン（リモート端末）ＲＭを介してユーザにより入力される操作信号を受け付けるリモート受信モジュール４２、録画再生装置１の前面パネル等に設けられ、ユーザ操作に対応する操作信号が直接入力可能な操作入力モジュール４３を含む。なお、録画再生装置１の前面パネルの所定の位置には、例えば日時、（選択された）チャンネル、現在映像の記録のために動作中の記録媒体が、ＨＤＤ３０１あるいは任意の外部ＨＤＤ装置５０１（６０１，・・・，ｎ）のハードディスクＨＤであるかディスクドライブに装填された光ディスクＭであるか、等の情報を表示可能な表示モジュール４４が設けられてもよい。
【００３１】
また、リモコンＲＭと録画再生装置１との間の信号の通信は、無線通信あるいは光通信もしくは赤外線通信等の任意の方法が利用可能である。
【００３２】
なお、リモート端末ＲＭおよび操作入力モジュールは、有線、もしくは赤外線、あるいは無線等の任意の手法により、録画再生装置１と信号またはデータの少なくとも一方の受け渡しが可能なパーソナルコンピュータやビデオゲーム機器、あるいは携帯可能端末等のいずれであってもよい。すなわち、操作入力モジュール４３及び通信手法がいずれの形態であっても、入力されるユーザ操作信号に基づいて、映像信号及び音声信号の記録処理や録画されたコンテンツの再生処理、あるいは録画されたコンテンツに対する編集処理等を実行可能である。
【００３３】
エンコーダモジュール５０は、詳述しないが、入力されたアナログビデオ信号やアナログオーディオ信号をデジタル化するビデオ用及びオーディオ用のアナログ−デジタルコンバータモジュールと、ビデオエンコーダモジュールと、オーディオエンコーダモジュールとを有する。エンコーダモジュール５０は、さらに副映像エンコーダモジュールも含む。
【００３４】
エンコーダモジュール５０の出力は、バッファメモリ（図示しない）モジュールを含むフォーマッタモジュール５１にて所定のＤＶＤ−ＲＡＭのフォーマットに変換され、上述したデータプロセッサモジュール１０１に供給される。
【００３５】
エンコーダモジュール５０には、Ａ／Ｖ（オーディオ（音声）／ビデオ（映像））入力モジュール４１ａからの外部アナログビデオ信号と外部アナログオーディオ信号が入力可能である。なお、エンコーダモジュール５０には、スイッチモジュール４０を介して、地上波アナログチューナモジュール４１ｃ、地上波デジタルチューナモジュール４１ｃ、衛星ＢＳ／ＣＳチューナモジュール４１ｄ、あるいは衛星アナログチューナモジュール４１ｅからの受信信号が選択的に入力可能である。
【００３６】
また、エンコーダモジュール５０が複数のデコーダモジュールを含む場合、例えば地上波デジタルチューナモジュール４１ｃで受信した番組をＨＤＤモジュール３０１あるいは任意の外部ＨＤＤ装置５０１（６０１，・・・，ｎ）のハードディスクＨＤに録画する一方で、同時に衛星ＢＳ／ＣＳチューナモジュール４１ｄで受信した番組を視聴（再生）するという、受信チューナモジュール毎に、独立した処理（記録と再生）が可能である。
【００３７】
なお、エンコーダモジュール５０は、圧縮されたデジタルビデオ信号やデジタルオーディオ信号が直接入力される場合には、フォーマッタモジュール５１に、その圧縮デジタルビデオ信号やデジタルオーディオ信号を、直接供給することもできる。また、エンコーダモジュール５０は、アナログ−デジタル変換されたデジタルビデオ信号やオーディオ信号を、ビデオ（Ｖ）ミキシングモジュール７１やオーディオセレクタモジュール７６に、直接供給することもできる。
【００３８】
エンコーダモジュール５０はまた、図示しないがビデオエンコーダモジュールを含み、ビデオエンコーダモジュールにより、入力されたデジタルビデオ信号を、例えばＭＰＥＧ（Moving Picture Experts Group）−４あるいはＭＰＥＧ−２またはＭＰＥＧ−１規格に基づいた可変ビットレートで圧縮されたデジタルビデオ信号に変換する。
【００３９】
なお、エンコーダモジュール５０は、静止画像を録画する場合、ＤＶＤ録画規格（ＤＶＤ  ＶＲ規格）に基づいた静止画像の録画に際しては、ＭＰＥＧ規格で圧縮されたデジタルビデオ信号（ＭＰＥＧのＩ＿Ｐｉｃｔｕｒｅ）形式とするが、その他にＪＰＥＧ規格に基づいて圧縮されたデジタルビデオ信号を生成することもできる。
【００４０】
また、デジタルオーディオ信号は、例えばＭＰＥＧあるいはＡＣ−３規格に従い、固定ビットレートで圧縮されたデジタルオーディオ信号、もしくはリニアＰＣＭ等の非圧縮のデジタルオーディオ信号に変換される。
【００４１】
副映像信号については、ＡＶ（オーディオ・ビデオ）入力モジュール４１を経由して、（副映像信号が）直接入力される場合（例えば、副映像信号向けの独立した出力端子が設けられているビデオプレーヤからの信号等）、あるいは同等のデータ構成のＤＶＤビデオ信号の放送信号がスイッチモジュール４０を介して（任意のチューナから）入力されることで、ＤＶＤビデオ信号中の副映像信号が、副映像エンコーダでエンコード（ランレングス符号化）されて、副映像のビットマップ（副映像データ）が構築される。
【００４２】
エンコードされたデジタルビデオ信号、デジタルオーディオ信号ならびに副映像データは、フォーマッタ５１において、ビデオパック、オーディオパックおよび副映像パックとしてパック化される。パック化された、ビデオパック、オーディオパックならびに副映像パックは、さらに集合（集約）され、ＤＶＤ−ビデオ規格に規定されているフォーマット（ＤＶＤ  Ｖｉｄｅｏフォーマット）や、ＤＶＤ−レコーディング規格に規定されているフォーマット（ＤＶＤ  ＶＲフォーマット）に変換される。また、静止画像の録画時は、ＪＰＥＧで規定されたフォーマットに変換されてもよいことはいうまでもない。
【００４３】
フォーマッタモジュール５１でフォーマットされた情報（ビデオ、オーディオ、副映像データ等のパック）は、データプロセッサモジュール１０１を経由してＨＤＤモジュール３０１あるいは任意の外部ＨＤＤ装置５０１（６０１，・・・，ｎ）またはディスクドライブモジュール２０１に供給され、ハードディスクＨＤまたは光ディスクＭに記録することができる。なお、ハードディスクＨＤあるいは光ディスクＭに記録された情報は、データプロセッサモジュール１０１を介して、相互に置き換えまたは複製可能である。すなわち、既にハードディスクＨＤに記録されているデータは、光ディスクＭに移動または複製可能で、光ディスクＭに記録されているデータも、ハードディスクＨＤに移動または複製可能である。なお、ハードディスクＨＤあるいは光ディスクＭに記録されているデータ、例えば番組のビデオオブジェクト（コンテンツ）は、一部または全部の削除や任意数のオブジェクトの合成（接続）という編集処理も可能である。これは、本発明にかかるフォーマットが取り扱うデータ単位を定義し、編集を容易にしているからである。
【００４４】
また、マイクロピュータモジュール３０が、ディスクドライブ２０１、ＨＤＤ３０１あるいは任意の外部ＨＤＤ装置５０１（６０１，・・・，ｎ）、データプロセッサ１０１、エンコーダモジュール５０、デコーダモジュール６０、等の各要素を制御するタイミングは、ＳＴＣ（System Time Clock，システムタイムクロック）モジュール１１１からの時間データに基づいて実行される。録画や再生の動作は、通常は、ＳＴＣモジュール１１１からのタイムクロックに同期して実行されるが、それ以外の処理は、ＳＴＣモジュール１１１と独立したタイミングで実行されてもよい。
【００４５】
デコーダモジュール６０は、詳細な説明は省略するが、周知のパック構造を含むＤＶＤフォーマットの信号から各パックを分離して取り出すセパレータと、パック分離やその他の信号処理実行時に使用するメモリ（ワークメモリ）と、セパレータで分離された主映像データ（ビデオパックの内容）をデコードするビデオ（Ｖ）デコーダと、セパレータで分離された副映像データ（副映像パックの内容）をデコードするＳＰ（サブパック）デコーダと、セパレータで分離されたオーディオデータ（オーディオパックの内容）をデコードするオーディオ（Ａ）デコーダと、を有する。
【００４６】
デコーダモジュール６０にはまた、図示しないが、デコードされた主映像にデコードされた副映像を適宜合成し、主映像にメニュー、ハイライトボタン、字幕やその他の副映像を重ねて出力するビデオプロセッサが組み込まれている。
【００４７】
デコーダモジュール６０の出力ビデオ信号は、ビデオミキシングモジュール７１に入力される。
【００４８】
ビデオミキシングモジュール７１では、例えばテキストデータが合成される。また、ビデオミキシングモジュール７１には、個々のチューナや、Ａ／入力モジュール４１ａからの信号を直接取り込むライン（外部／補助入力）も接続されている。なお、ビデオミキシングモジュール７１には、バッファとして用いるフレームメモリモジュール７２が接続されている。
【００４９】
ビデオミキシングモジュール７１の出力がアナログ出力の場合はＩ／Ｆ（インタフェース）７３を介して外部に出力され、デジタル出力の場合はデジタル−アナログ変換器モジュール７４を介して外部へ出力される。
【００５０】
デコーダモジュール６０の出力オーディオ信号は、セレクタモジュール７６を介して、デジタル−アナログ変換器モジュール７７に供給され、アナログ変換され、外部に出力される。なお、セレクタモジュール７６は、マイクロコンピュータモジュール３０からのセレクト信号により制御される。これにより、地上波デジタルチューナモジュール４１ｃ，ＢＳ／ＣＳチューナモジュール４１ｄ、あるいはＡ／Ｖ入力モジュール４１ａから、デジタル信号で入力される番組については、セレクタモジュール７６の切り換えにより、エンコーダモジュール５０をスルーした信号を、直接選択してモニタすることも可能である。
【００５１】
なお、エンコーダモジュール５０のフォーマッタ５１では、録画中、各切り分け情報を作成し、定期的にマイクロコンピュータモジュール３０のＭＰＵへ送る（ＧＯＰ先頭割り込み時等の情報）。切り分け情報としては、ＶＯＢＵのパック数、ＶＯＢＵ先頭からのＩピクチャのエンドアドレス、ＶＯＢＵの再生時間等である。
【００５２】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータ等を保存し、再生時、各デコーダ部ではこの情報を元に初期設定が行われる。
【００５３】
また、録画再生装置１では、ＤＶＤ（光ディスクＭ）に記録するビデオファイルは、１ディスクに１ファイルとしている。また、データをアクセス（シーク）している間に途切れることなく再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００５４】
データプロセッサ１０１は、エンコーダモジュール５０のフォーマッタ５１からＶＯＢＵ単位のデータを受け取り、ＣＤＡ単位のデータをディスクドライブモジュール２０１あるいはＨＤＤモジュール３０１あるいは任意の外部ＨＤＤ装置５０１（６０１，・・・，ｎ）に供給している。また、マイクロコンピュータモジュール３０のＭＰＵは、記録したデータを再生するのに必要な管理情報を作成し、データ記録終了のコマンドを認識すると、作成した管理情報をデータプロセッサ１０１に送る。これにより、管理情報がディスクに記録される。従って、エンコードが行われているとき、エンコーダモジュール５０からマイクロコンピュータモジュール３０のＭＰＵは、データ単位の情報（切り分け情報等）を受け取る。また、マイクロコンピュータモジュール３０のＭＰＵは、記録開始時には光ディスクＭ及びハードディスクＨＤから読み取った管理情報（ファイルシステム）を認識し、それぞれのディスクの未記録エリアを認識し、データ上の記録エリアを、データプロセッサ１０１を介して対応するディスクに設定している。
【００５５】
ところで、録画再生装置１の起動時においては、どのディスクドライブを優先して起動するかにより、起動時間が変化することが知られている。例えば、光ディスクドライブ２０１を優先して起動する場合、光ディスクが装填されているか否かを検出し、光ディスクが装填されている場合には、さらに光ディスクの種別（規格）と記録方式（タイプ）を判別することが必要となる。特に、録画予約時において、録画用に設定されている記録媒体が光ディスクである場合、起動時間は、例えば数分に及ぶこともある。また、単純に起動する場合においても、起動時に優先するディスクドライブとして、例えば光ディスクドライブ２０１が設定されている場合には、当然、所定の（長い）起動時間が必要となる。
【００５６】
図２は、録画再生装置の起動時に、優先して起動するディスクドライブ（「起動時カレントドライブ」）として設定可能なディスクドライブ（『可』により表示）と、「起動時カレントドライブ」として設定しないことを決めたディスクドライブ（『不可』により表示）とを、保持するデータテーブルの記述内容の一例を示す。なお、『カレントドライブ』は、現在選択されている（録画や再生が可能な）ディスクドライブを意味し、優先起動が設定された場合には、そのディスクドライブのエラーチェック（システムチェック）等の各種初期化処理が終了し、録画再生装置の動作、例えばチャンネルの選択や録画の開始が可能な待機状態となることを示す。
【００５７】
図２から、少なくとも、ディスクドライブ（光ディスクドライブ）２０１については、必ずしも光ディスクが装填されていない場合があり、また装填されていたとしても、空き容量の多少や、再生専用ディスク等である場合を考慮して、「起動時カレントドライブ」としての設定を予定していない、ことを読み取れる。すなわち、図１に示した録画再生装置１は、内蔵ＨＤＤ３０１（ＨＤＤ１）及び外部ＨＤＤ５０１（ＨＤＤ２）と光ディスクドライブ２０１とを有し、光ディスクドライブ２０１については、「起動時カレントドライブ」として選択できないことを、特徴とする。なお、外部ＨＤＤ５０１（ＨＤＤ２）については、「起動時カレントドライブ」として選択可能であるが、ユーザが取り外していることもあるため、第２優先とする（通常は、ＨＤＤ１（内蔵ＨＤＤ３０１）が優先して起動される「規定のドライブ」である）。
【００５８】
図３は、図２に示した「起動時カレントドライブ」を、ユーザが変更するためのユーザ入力画面表示（［始動時起動ドライブ設定画面］）の表示の一例を示す。なお、図１から明らかであるが、録画再生装置１は、モニタ装置１００１を接続することにより、映像が表示されるものであるから、図３に示す表示例は、ビデオミキシングモジュール７１（図１参照）からモニタ装置１００１に出力される映像出力信号を、模式的に示すものであることはいうまでもない。従って、モニタ装置１００１に相当する表示部または表示パネルが一体に設けられたテレビ装置等に適用される場合には、図３に示した表示例を可視像として確認できる。
【００５９】
図３において、例えばリモコン端末ＲＭ（図１参照）の「上」、「下」、「左」および「右」の矢印が割りあてられたカーソルキーＲＭ２の操作により、［ドライブ名］の欄が選択され（例えば［ドライブ名］の表示が反転表示あるいは異なる色による表示となるよう制御信号が入力され）、決定ボタンＲＭ−３がオンされることで、図３においては、３つ表示されているディスクドライブのいずれかを選択可能となる。なお、図３に示す［始動時起動ドライブ設定画面］は、リモコン端末ＲＭのメニューボタンＲＭ−１のオン等により表示されるメニュー画面から選択可能である。
【００６０】
制御入力および選択（決定）方法としては、用意されたプログラムと、そのプログラムに基づいて表示されるＧＵＩ（Graphical User Interface）に従い、さまざまな表示や操作が可能であるが、一例としては、カーソルキーＲＭ−２の操作により［起動ドライブ］欄の「○」すなわち「起動時カレントドライブ」としての選択が可能（上述『可』に相当）、または「×」すなわち「起動時カレントドライブ」として選択しない（上述『不可』に相当）が表示されている状態で、その表示を選択し、例えば決定ボタンＲＭ−３をオンすることにより、例えば現在「○」であるドライブについては「×」に、現在「×」であるドライブについては「○」に、循環式に、切換信号が入力される、等の制御による変更入力が可能である。また、［ドライブ名］として表示されているディスクドライブのいずれかを選択し、決定ボタンＲＭ−３をオンする毎に、［起動ドライブ］欄の「○」と「×」が循環式に変化されるようなＧＵＩも実現可能である。
【００６１】
なお、図３に示した表示例すなわち［始動時起動ドライブ設定画面］により設定された［起動ドライブ］欄の「○」と「×」は、図２を用いて説明した「起動時カレントドライブ」の『可』と『不可』に対応され、データテーブルとして、不揮発性メモリ３９により保持される。また、図３に示した表示例は、図２に示したデータテーブルを反映する表示であり、工場出荷時のデフォルト（基本）設定の一例であることは説明するまでもない。
【００６２】
図４は、図２および図３を用いて説明した「起動時カレントドライブ」として録画再生装置が起動された際に、接続されたモニタ装置による表示として確認可能とする『カレントドライブ表示』の表示例を示す。
【００６３】
例えば、既に録画した任意のコンテンツを選択的に再生しようとするユーザにより再生対象となるコンテンツのサムネイル画面とそのコンテンツの説明を表示する『見るナビ』画面の表示が指示されると、モニタ装置１００１には、予め用意された個数のサムネイル画像（図４では６つ）を表示する「『見るナビ』（タイトルサムネイル一覧）」表示４０１が表示される。なお、図４の表示４０１は、現在再生中あるいは録画中のコンテンツのサムネイル画像と、いくつかのフォルダを表示する例である。
【００６４】
図４の表示４０１には、録画再生装置１に現在接続されている全てのディスクドライブ名と内蔵されているディスクドライブ名が表示される表示領域４１１が規定されており、所定の順で、全てのディスクドライブ名が表示される。なお、図４は、録画再生装置１に接続／内蔵されたディスクドライブが、光ディスクドライブ（ディスクドライブ２０１、図１参照）、ＨＤＤ１（内蔵ＨＤＤ３０１、図１参照）およびＨＤＤ２（外部ＨＤＤ５０１、図１参照）であることを示すＤＶＤ（ＤＶＤ規格の光ディスクを収容した状態）表示４１２、ＨＤＤ１（内蔵ＨＤＤ）表示４１３、およびＨＤＤ２（外部ＨＤＤ）表示４１４が表示された状態を示す。
【００６５】
図４において、枠４２１で示すディスクドライブ名が「カレントドライブ」を示す『カレントドライブ表示』である。すなわち、図４に示した『見るナビ』画面において、「カレントドライブ」を表示することで、ユーザがドライブに収容されているコンテンツ（タイトル）を探すため等の理由により、『タイトル一覧』画面を表示しようとした場合、どのドライブに収容されているかの判断に有益である。例えば、ユーザの利用頻度が高いドライブが「起動時カレントドライブ」として起動された場合、ユーザは、ドライブ切り換え動作を必要とすることなく、そのドライブが収容しているコンテンツについて、『タイトル一覧』を、すぐに表示させることができる。
【００６６】
図５は、図４を用いて説明した「カレントドライブ表示」を、接続されたモニタ装置による表示として確認可能とする表示の別の表示例を示す。
【００６７】
図５は、コンテンツの録画中のモニタ表示画面において、リモコンＲＭの操作により、コンテンツ情報を表示させた表示例であり、例えば、現在録画中であるコンテンツのモニタ装置１００１への表示５０１には、予め用意された録画再生装置１に現在接続されている全てのディスクドライブ名と内蔵されているディスクドライブ名が表示される表示領域５１１が規定されており、所定の順で、全てのディスクドライブ名が表示される。なお、図５は、録画再生装置１に接続／内蔵されたディスクドライブが、光ディスクドライブ（ディスクドライブ２０１、図１参照）、ＨＤＤ１（内蔵ＨＤＤ３０１、図１参照）およびＨＤＤ２（外部ＨＤＤ５０１、図１参照）であることを示すＤＶＤ（ＤＶＤ規格の光ディスクを収容した状態）表示５１２、ＨＤＤ１（内蔵ＨＤＤ）表示５１３、およびＨＤＤ２（外部ＨＤＤ）表示５１４が表示された状態を示す。
【００６８】
図５において、枠５２１で示すディスクドライブ名が図４により説明したと同様の「カレントドライブ」を示す『カレントドライブ表示』である。
【００６９】
図６は、録画再生装置の起動時に、「起動時カレントドライブ」として設定されているディスクドライブを検出することにより、録画再生装置の主電源がオンされた際の始動時の起動時間を低減する「電源オン処理」の一例をソフトウエア的に示す。なお、始動時の起動時間は、「起動時カレントドライブ」として優先起動が設定されているディスクドライブのエラーチェック（システムチェック）等の各種初期化処理が終了し、録画再生装置の動作、例えばチャンネルの選択や録画の開始が可能な待機状態となるまでに要求される時間を示す。
【００７０】
図６に示す通り、録画再生装置１の図示しない主電源がオンされることにより、または全てのディスクドライブが、ディスクを回転するモータの回転が停止しているスリープ状態にあるリモコン入力受付状態において、リモコン端末ＲＭまたは操作入力モジュール４３（図１参照）からの何らかの操作入力があった場合、始めに、各初期化処理が実行される（Ｓ１）。
【００７１】
次に、不揮発性メモリ３９（図１参照）から、録画再生装置１の主電源がオフされた、あるいは各ディスクドライブがスリープ状態になった時点で「カレントドライブ」として動作していたディスクドライブが、ＨＤＤモジュール（ＨＤＤ１）３０１、任意の外部ＨＤＤ装置５０１（６０１，・・・，ｎ）もしくはディスクドライブモジュール２０１のいずれであったかに関する情報である『カレントドライブ情報』が取得される（Ｓ２）。また、図２に示したデータテーブル内の記述が読み出され、「起動時カレントドライブ」として設定可能なディスクドライブが特定される（Ｓ３）。
【００７２】
次に、Ｓ２において取得した『カレントドライブ情報』により特定される「カレントドライブ」が、Ｓ３において読み出した「起動時カレントドライブ」として設定可能か否かがチェックされる。すなわち、取得した『カレントドライブ情報』と図２に示したデータテーブル内の記述とが比較され、「カレントドライブ」を「起動時カレントドライブ」として設定できるか否かが判断される（Ｓ４）。
【００７３】
Ｓ４において、「カレントドライブ」を「起動時カレントドライブ」として設定できると判断できた場合（Ｓ４−ＮＯ）、「起動時カレントドライブ」は「カレントドライブ」と設定される。すなわち、カレントドライブ情報が変更されず、そのまま維持される（Ｓ６）。
【００７４】
Ｓ４において、「カレントドライブ」を「起動時カレントドライブ」として設定できないと判断できた場合（Ｓ４−ＹＥＳ）、「起動時カレントドライブ」として、Ｓ３において読み出した「規定のドライブ」が設定される（Ｓ６）。
【００７５】
以下、『カレントドライブ情報』に従って「カレントドライブ」が切換えられ（Ｓ７）、「起動時カレントドライブ」として設定された「カレントドライブ」について、例えばタイトル一覧読み込み処理、他の起動時のルーチンが実行される（Ｓ８）。
【００７６】
より具体的には、各初期化処理（Ｓ１）を行なった後、カレントドライブ情報を不揮発メモリから取得する（Ｓ２）。
【００７７】
（Ｓ３で）取得したカレントドライブ情報がＤＶＤ（起動時カレントドライブ＝不可）の場合（Ｓ４−ＹＥＳ）、カレントドライブ情報は、規定のドライブ（内蔵ＨＤＤ）をセットする（Ｓ５）。それ以外（Ｓ４−ＮＯ）では、電源オフ時のカレントドライブ情報から変更しない（Ｓ６）。
【００７８】
以下、読み込んだ『カレントドライブ情報』に基づいて、カレントドライブのドライブ切換処理を行なう（Ｓ７）。例えば、    
・カレントドライブ＝ＨＤＤ１    
→電源オフ  →電源オン    
→カレントドライブ＝ＨＤＤ１    
・カレントドライブ＝ＨＤＤ２    
→電源オフ  →電源オン    
→カレントドライブ＝ＨＤＤ２    
・カレントドライブ＝ＤＶＤ    
→電源オフ  →電源オン    
→カレントドライブ＝ＨＤＤ１（規定）    
により、「起動時カレントドライブ」が設定される。
【００７９】
図７は、図６に示した録画再生装置の起動時に参照する『カレントドライブ情報』を、録画再生装置１の図示しない主電源がオフされることにより、または全てのディスクドライブにおいて、ディスクを回転するモータの回転が停止するスリープ状態となることを検出して、『カレントドライブ情報』を更新（保存）する「電源オフ処理」の一例をソフトウエア的に示す。
【００８０】
図７に示す通り、録画再生装置１の図示しない主電源がオフされることにより、または全てのディスクドライブにおいて、ディスクを回転するモータの回転が停止するスリープ状態となった場合、それまでに動作されていたディスクドライブの情報が、『カレントドライブ情報』として、例えばＮＶＭ（不揮発性メモリ）３９の所定の領域に保存される（Ｓ１１）。
【００８１】
続いて、録画再生装置１が、例えばリモコン端末ＲＭからの入力指示を受けつける入力受付状態に維持される（Ｓ１２）。
【００８２】
図８は、図６および図７により説明した録画再生装置の起動時の「電源オン処理」において、「起動時カレントドライブ」とすべきディスクドライブを、所定の条件に従って特定して、次に電源がオンされた際に、「起動時カレントドライブ」を設定する処理の一例をソフトウエア的に示す。なお、図８により以下に説明する処理に従い、電源オフ時に、次に電源がオンされた際に「起動時カレントドライブ」とすべきディスクドライブを、ＮＶＭに記憶されたデータの読み出しのみによって容易に判別できるよう、『カレントドライブ情報』を予め書き換える（更新する）ことにより、各ディスクドライブに記録されているタイトル（コンテンツ）の再生（管理データのチェック）が必要なくなる。これにより、一層、始動時の起動時間を短縮できる。
【００８３】
図８においては、直前（最後の動作終了後）の電源オフ処理により、『カレントドライブ情報』として、図９により以下に説明するが、次に始動される際に、「起動時カレントドライブ」に設定されるべきディスクドライブのドライブ名または制御用コード、等が予めＮＶＭ（不揮発性メモリ）３９に記憶される（Ｓ４１）。
【００８４】
録画再生装置１の図示しない主電源がオンされることにより、または全てのディスクドライブが、ディスクを回転するモータの回転が停止しているスリープ状態にあるリモコン入力受付状態において、リモコン端末ＲＭまたは操作入力モジュール４３（図１参照）からの何らかの操作入力があった場合、各初期化処理に続いて、『カレントドライブ情報』として記憶されている「カレントドライブ」が「起動時カレントドライブ」に設定可能であることがチェックされる（Ｓ４２）。
【００８５】
以下、図２に示したデータテーブルにおいて「起動時カレントドライブ」に設定可能である（データテーブルにおいて『可』である）場合（Ｓ４３−ＹＥＳ）、『カレントドライブ情報』が『次回電源オン時のカレントドライブ情報』に更新される（Ｓ４４）。
【００８６】
続いて、『カレントドライブ情報』に基づいて、「カレントドライブ」が切換えられる（Ｓ４５）。
【００８７】
なお、Ｓ４２において、『カレントドライブ情報』として記憶されている「カレントドライブ」が「起動時カレントドライブ」に設定できない「カレントドライブ」である場合（Ｓ４３−ＮＯ）、図２に示した『カレントドライブ情報』のうちの「規定のドライブ」が割りあてられている「カレントドライブ」が選択される。
【００８８】
図９は、図８に示した電源オン処理（始動時）に参照される「次に始動される際に「起動時カレントドライブ」に設定されるべきディスクドライブ」を、電源オフ処理において予め設定する処理の一例をソフトウエア的に示す。
【００８９】
図９において、任意のタイミングで、電源がオフされ、あるいは電源オフに対応する制御信号またはコマンドが入力されると、現在動作中であるディスクドライブのドライブ名または制御用コード、等が、次回電源オン時の「起動時カレントドライブ」に設定すべき『カレントドライブ情報』として、ＮＶＭ（不揮発性メモリ）３９に格納される。なお、次回電源オン時の「起動時カレントドライブ」に設定すべき『カレントドライブ情報』としては、「起動時カレントドライブ」無効（図２における『不可』）の設定があるドライブを排除するよう、設定されていてもよい（Ｓ５１）。
【００９０】
続いて、録画再生装置１が、例えばリモコン端末ＲＭからの入力指示を受けつける入力受付状態に維持される（Ｓ５２）。
【００９１】
図１０は、録画再生装置の電源オフ時に、図９により説明した電源オフ処理により設定（保存）された『カレントドライブ情報』により「起動時カレントドライブ」を設定する処理の一例をソフトウエア的に示す。
【００９２】
図１０に示すように、録画再生装置１の図示しない主電源がオンされることにより、または全てのディスクドライブが、ディスクを回転するモータの回転が停止しているスリープ状態にあるリモコン入力受付状態において、リモコン端末ＲＭまたは操作入力モジュール４３（図１参照）からの何らかの操作入力があった場合、始めに、各初期化処理が実行される（Ｓ６１）。
【００９３】
続いて、ＮＶＭ（不揮発性メモリ）３９から、『カレントドライブ情報』として記憶されている「次回電源オン時の「起動時カレントドライブ」」が読み出される。なお、「次回電源オン時の「起動時カレントドライブ」」は、「起動時カレントドライブ」として設定できないディスクドライブ以外である（図２のデータテーブルにおいて『可』である）ことが明らかであるから、『カレントドライブ情報』に基づいて、「カレントドライブ」が切換えられる（Ｓ６３）。
【００９４】
以下、『カレントドライブ情報』に従って「カレントドライブ」が切換えられ、例えばタイトル一覧読み込み処理、他の起動時のルーチンが実行される（Ｓ６４）。
【００９５】
すなわち、図８〜図１０を用いて説明した例では、「起動時カレントドライブ」として設定可能なＨＤＤ２（外部ＨＤＤ）が設定されている状態で、ユーザが、「カレントドライブ」として、例えば、ＤＶＤを選択した場合、    
・カレントドライブ＝ＨＤＤ２    
（ユーザによる切り換え）  →    
カレントドライブ＝ＤＶＤ    
→電源オフ  →電源オン    
→カレントドライブ＝ＨＤＤ２    
により、「起動時カレントドライブ」が設定される。
【００９６】
なお、ＨＤＤ２は、取り外すことが可能であり、電源オフの間にＨＤＤ２が取り外された場合には、    
・カレントドライブ＝ＨＤＤ２    
（ユーザによる切り換え）  →    
カレントドライブ＝ＤＶＤ    
→電源オフ        
（ユーザによる）ＨＤＤ２取り外し    
→電源オン        
→カレントドライブ＝ＨＤＤ１（規定）    
により、「起動時カレントドライブ」が設定される。
【００９７】
図１１は、図６により説明した録画再生装置の起動時の「電源オン処理」において、「起動時カレントドライブ」とすべきディスクドライブを、所定の条件に従って特定することにより、録画再生装置の主電源がオンされた際の始動時の起動時間を低減する「処理」の一例をソフトウエア的に示す。なお、図８〜図１０により説明したと同様に、図１１により以下に説明する処理に従い、電源オフ時に、次に電源がオンされた際に「起動時カレントドライブ」とすべきディスクドライブを、ＮＶＭに記憶されたデータの読み出しのみによって容易に判別できるよう、『カレントドライブ情報』を予め書き換える（更新する）ことにより、各ディスクドライブに記録されているタイトル（コンテンツ）の再生（管理データのチェック）が必要なくなる。これにより、一層、始動時の起動時間を短縮できる。
【００９８】
録画再生装置１の図示しない主電源がオンされることにより、または全てのディスクドライブが、ディスクを回転するモータの回転が停止しているスリープ状態にあるリモコン入力受付状態において、リモコン端末ＲＭまたは操作入力モジュール４３（図１参照）からの何らかの操作入力があった場合、始めに、各初期化処理が実行される（Ｓ２１）。
【００９９】
次に、不揮発性メモリ３９（図１参照）から、録画再生装置１の主電源がオフされた、あるいは各ディスクドライブがスリープ状態になった時点で「カレントドライブ」として動作していたディスクドライブが、ＨＤＤモジュール（ＨＤＤ１）３０１、任意の外部ＨＤＤ装置５０１（６０１，・・・，ｎ）もしくはディスクドライブモジュール２０１のいずれであったかに関する情報である『カレントドライブ情報』が取得される（Ｓ２２）。また、図２に示したデータテーブル内の記述が読み出され、「起動時カレントドライブ」として設定可能なディスクドライブが特定される（Ｓ２３）。
【０１００】
次に、Ｓ２２において取得した『カレントドライブ情報』により特定される「カレントドライブ」が、Ｓ２３において読み出した「起動時カレントドライブ」として設定可能な全てのディスクドライブのうち、予約録画制御部３５（図１参照）または予約録画制御部３５によりＮＶＭ３９の所定の領域に保存された『録画予約一覧情報（録画予約一覧データ）』が参照され、「起動時カレントドライブ」として設定できるディスクドライブのうち、予約録画先として指定されている予約の件数の最も多いディスクドライブが「カレントドライブ」として設定される。すなわち、予約録画先として指定されている予約の件数の最も多いディスクドライブを「カレントドライブ」とするよう『カレントドライブ情報』が、更新される（Ｓ２４）。
【０１０１】
以下、『カレントドライブ情報』に従って「カレントドライブ」が切換えられ（Ｓ２５）、「起動時カレントドライブ」として設定された「カレントドライブ」について、例えばタイトル一覧読み込み処理、他の起動時のルーチンが実行される（Ｓ２６）。
【０１０２】
なお、図１２は、図１１に示したＳ２４において参照する『録画予約一覧情報（録画予約一覧データ）』の保存時の保存形式の一例を模式的に示す。また、図１３Ａおよび図１３Ｂは、『録画予約一覧情報』をモニタ装置１００１に表示した表示例（ビデオミキシングモジュール７１が出力する出力画像に相当）である。図１２、図１３Ａおよび図１３Ｂから、「起動時カレントドライブ」には、予約の件数が最も多く、かつ図２により説明したデータテーブルにおいて「起動時カレントドライブ」への設定が『可』であるＨＤＤ２（外部ＨＤＤ）が選択されることになる。
【０１０３】
図１４は、図１１により説明した録画再生装置の起動時の「電源オン処理」において、「起動時カレントドライブ」とすべきディスクドライブを、所定の条件に従って特定する際の別の条件の一例を示す。なお、図１５は、図１４に示した条件をユーザが確認可能に、モニタ装置１００１に表示した表示例（ビデオミキシングモジュール７１が出力する出力画像に相当）である。
【０１０４】
図１１においては、Ｓ２２で取得した『カレントドライブ情報』により特定される「カレントドライブ」が、Ｓ２３で読み出した「起動時カレントドライブ」として設定可能な全てのディスクドライブのうち、予約録画先として指定されている予約の件数の最も多いディスクドライブを「カレントドライブ」として設定することを説明したが、同様の考え方により、条件として、＜ａ＞記録されているコンテンツ（タイトル）の数、あるいは既に＜ｂ＞記録されているコンテンツ（タイトル）の合計時間、を用いることもできる。
【０１０５】
すなわち、図１４において、記録されているコンテンツ（タイトル）の数＜ａ＞は、ＨＤＤ１（内蔵）が最も多いため、図２により既に説明したデータテーブル内で「起動時カレントドライブ」の設定が『可』である場合には、ＨＤＤ１（内蔵ＨＤＤ）を「起動時カレントドライブ」に設定することができる。
【０１０６】
一方、図１４において、記録されているコンテンツ（タイトル）の合計時間＜ｂ＞は、ＨＤＤ２（外部ＨＤＤ）が最も多いため、図２により既に説明したデータテーブル内で「起動時カレントドライブ」の設定が『可』である場合には、ＨＤＤ２（外部ＨＤＤ）を「起動時カレントドライブ」に設定することができる。
【０１０７】
図１６は、図６により説明した録画再生装置の起動時の「電源オン処理」において、「起動時カレントドライブ」とすべきディスクドライブを、所定の条件に従って特定することにより、録画再生装置の主電源がオンされた際の始動時の起動時間を低減する「処理」のさらに別の一例をソフトウエア的に示す。
【０１０８】
録画再生装置１の図示しない主電源がオンされることにより、または全てのディスクドライブが、ディスクを回転するモータの回転が停止しているスリープ状態にあるリモコン入力受付状態において、リモコン端末ＲＭまたは操作入力モジュール４３（図１参照）からの何らかの操作入力があった場合、始めに、各初期化処理が実行される（Ｓ３１）。
【０１０９】
次に、図２に示したデータテーブルの記述が読み出され、「起動時カレントドライブ」として設定可能なディスクドライブが特定される。なお、２以上存在する場合、各ディスクドライブとも「起動時カレントドライブ」に設定可能であることが一時的に保持される（Ｓ３２）。
【０１１０】
次に、Ｓ３２において取得した「起動時カレントドライブ」として設定可能な全てのディスクドライブについて、図１７Ａまたは図１８Ａに示すように、個々のディスクドライブに記録された全てのコンテンツ（タイトル）が記録された『日時』が読み出される（Ｓ３３）。
【０１１１】
以下、Ｓ３３において読み出された『日時』のうち最も新しいコンテンツ（タイトル）が特定され、そのタイトル（コンテンツ）を保持したディスクドライブが『カレントドライブ情報』として、一時的に保持される。すなわち、最後に記録されたコンテンツの記録『日時』に基づいて、『カレントドライブ情報』が更新される（Ｓ３４）。
【０１１２】
続いて、Ｓ３４において更新された『カレントドライブ情報』に基づいて、「起動時カレントドライブ」が切換えられる（Ｓ３５）。
【０１１３】
なお、図１７Ａおよび図１８Ａは、図１６のＳ３３において参照する『タイトル一覧情報』の保存時の保存形式の一例を模式的に示す。また、図１７Ｂおよび図１８Ｂは、それぞれ、対応するディスクドライブが保持する『タイトル一覧情報』をモニタ装置１００１に表示した表示例（ビデオミキシングモジュール７１が出力する出力画像信号に基づく、画像表示例を模式的に示す）である。
【０１１４】
図１６、図１７Ａおよび図１７Ｂから、「起動時カレントドライブ」としては、最後に記録されたコンテンツを保持したＨＤＤ２（外部ＨＤＤ）が選択されることになる。
【０１１５】
なお、図２に示したテーブルデータとして保持されている「起動時カレントドライブ」においては、「起動時カレントドライブ」として設定可能として定義されている場合であっても、そのディスクドライブが取り外し可能であることに依存して、電源オフ後に取り外される場合がある。また、取り外した後、取り外したディスクドライブと交換可能な別のディスクドライブがセット（接続）される場合がある。
【０１１６】
この場合、図２に示したテーブルデータ（定義表）は、実質的に図１９に示すように、変更されることになる。すなわち、「起動時カレントドライブ」としての設定が可能ではあるが、例えば「ドライブ名／制御コード等が不一致の場合は、『不可』」、等の注釈が記述ある。従って、始動時においては、ＨＤＤ１（内蔵）が優先されることになる。すなわち、ドライブ名／制御コード等が不一致の場合は、ＨＤＤ１（内蔵）の残り記録領域（空き容量）が無い、等の場合を除き、原則として「起動時カレントドライブ」として用いないこと、を特徴とする。
【０１１７】
また、図２０は、図２に示したテーブルデータ（定義表）のうち、ＨＤＤ１（内蔵）とは異なる任意数の外部ＨＤＤ（ＨＤＤ２〜ＨＤＤｎ，ｎは２以上の正の整数）については、電源オフ時に「カレントドライブ」であったディスクドライブを「起動時カレントドライブ」に用いることを示し、例えば、    
・カレントドライブ＝ＨＤＤ１    
→電源オフ  →電源オン    
→カレントドライブ＝ＨＤＤ１    
・カレントドライブ＝ＨＤＤｎ    
→電源オフ  →電源オン  →カレントドライブ＝ＨＤＤｎ    
に基づいて、「起動時カレントドライブ」を設定することを特徴とする。
【０１１８】
以上説明したように、この発明の一つの実施の形態によれば、記憶媒体一体ドライブと分離可能ドライブとが３以上用意された録画再生装置の始動時に必要となる起動時間が、低減される。
【０１１９】
また、記憶媒体を取り出すことのできるドライブについては、電源オフまでの間、動作されていた場合であっても、始動時の優先起動対象から除外することにより、直前に動作していたドライブの種類に拘わらず、概ね一定の起動時間で、始動できる。すなわち、起動時間を一定時間内に抑えることができる。
【０１２０】
なお、起動時に媒体内の情報を読み出すことを必要としない、優先起動ドライブを任意に設定でき、ユーザの操作性や利便性が向上する。
【符号の説明】
【０１２１】
１…録画再生装置、３０…マイクロコンピュータモジュール（主制御モジュール）、３５…予約録画制御モジュール、３６…ＧＵＩ画面制御モジュール、３９…不揮発性メモリ（ＮＶＭ）、１０１…データプロセッサモジュールモジュール、２０１…ディスクドライブ（ＤＶＤ）、３０１…ディスクドライブ（ＨＤＤ１（内蔵））、４０１…ディスクドライブ制御部、５０１（ｎ）…ディスクドライブ（ＨＤＤ２（ｎ）、外部ＨＤＤ）。
【図１】
2011035840.tif 000003
【図２】
2011035840.tif 000004
【図３】
2011035840.tif 000005
【図４】
2011035840.tif 000006
【図５】
2011035840.tif 000007
【図６】
2011035840.tif 000008
【図７】
2011035840.tif 000009
【図８】
2011035840.tif 000010
【図９】
2011035840.tif 000011
【図１０】
2011035840.tif 000012
【図１１】
2011035840.tif 000013
【図１２】
2011035840.tif 000014
【図１３Ａ】
2011035840.tif 000015
【図１３Ｂ】
2011035840.tif 000016
【図１４】
2011035840.tif 000017
【図１５】
2011035840.tif 000018
【図１６】
2011035840.tif 000019
【図１７Ａ】
2011035840.tif 000020
【図１７Ｂ】
2011035840.tif 000021
【図１８Ａ】
2011035840.tif 000022
【図１８Ｂ】
2011035840.tif 000023
【図１９】
2011035840.tif 000024
【図２０】
2011035840.tif 000025